(57)【要約】【課題】なぞり操作時に意図しない検出部まで操作した場合でも誤操作による検出、誤った入力操作を抑制できる操作入力装置を提供する。【解決手段】静電容量検出によりタッチ操作状態を検出する第１の検出部２００と、第１の検出部２００の近辺に配置され、静電容量検出によりタッチ操作状態を検出する第２の検出部２１０と、第１及び第２の検出部２００、２１０における静電容量検出の結果に基づいて操作入力動作の処理を行なう制御部と、を有し、第１又は第２の検出部２００、２１０は、第２又は第１の検出部２１０、２００に対向する端部領域に静電容量検出による通常の処理と異なる処理を行なう特別領域２００Ｂ、２１０Ｂを設けて操作入力装置１を構成する。【選択図】図１
2015133044.tif 000002
【特許請求の範囲】
【請求項１】
静電容量検出によりタッチ操作状態を検出する第１の検出部と、
前記第１の検出部の近辺に配置され、静電容量検出によりタッチ操作状態を検出する第２の検出部と、
前記第１及び第２の検出部における静電容量検出の結果に基づいて操作入力動作の処理を行なう制御部と、を有し、
前記第１又は第２の検出部は、前記第２又は第１の検出部に対向する端部領域に静電容量検出による通常の処理と異なる処理を行なう特別領域が設けられていることを特徴とする操作入力装置。
【請求項２】
前記特別領域は、前記第１又は第２の検出部でなぞり操作を検出する場合に、前記第１又は第２の検出部に設けられることを特徴とする請求項１に記載の操作入力装置。
【請求項３】
前記制御部は、なぞり操作が前記第１又は第２の検出部におけるタッチ始点からタッチ終点までのなぞりによるタッチ操作である場合に、前記第１又は第２の特別領域におけるタッチ始点から前記第２又は第１の検出部へのなぞり操作を無効ななぞり操作として処理することを特徴とする請求項２に記載の操作入力装置。
【請求項４】
前記制御部は、前記第１の検出部又は前記第２の検出部のタッチ始点へのタッチ操作時に、タッチ操作の検出を行なったことを提示する検出フラグを前記第１の検出部又は前記第２の検出部ごとに設定することを特徴とする請求項１から３のいずれか１項に記載の操作入力装置。
【請求項５】
前記制御部は、タッチ操作がタッチ状態から非タッチ状態に移行し所定の時間が経過した場合に、前記検出フラグを解除することを特徴とする請求項４に記載の操作入力装置。
【請求項６】
前記制御部は、前記第１及び第２の検出部にタッチ操作がされたときに前記第２又は第１への検出フラグが設定されている場合は、前記タッチ操作を無効なタッチ操作として処理することを特徴とする請求項４又は５に記載の操作入力装置。
【発明の詳細な説明】
【技術分野】
【０００１】
本発明は、操作入力装置に関し、特に、静電容量検出を用いた操作入力装置に関する。
【背景技術】
【０００２】
従来、隣接して並べて配された接触を検出する複数のセンサ素子を実装した携帯電子機器において、複数のセンサ素子群がそれぞれ別個のセンサ素子群として接触を検出する制御と、さらに前記複数のセンサ素子群が全体的にひとつのセンサ素子群として周回の接触操作を検出する制御とを切り替え可能にした操作入力装置が提案されている（例えば、特許文献１）。
【０００３】
この操作入力装置によれば、全体としてひとつのユーザインターフェイスで複数の管理体系を有するような制御を行なうことができるとされている。
【先行技術文献】
【特許文献】
【０００４】
【特許文献１】特開２００８−５２５９４号  公報
【発明の概要】
【発明が解決しようとする課題】
【０００５】
しかし、隣接する複数の検出部が別機能の操作入力を行なうもので、意匠上の理由から隣接して配置される場合がある。このような配置において検出部がなぞり操作される場合に隣接する検出部までなぞり操作することがあり、想定外の入力操作がされる場合があり得るという問題があった。
【０００６】
したがって、本発明の目的は、なぞり操作時に意図しない検出部まで操作した場合でも誤操作による検出、誤った入力操作を抑制できる操作入力装置を提供することにある。
【課題を解決するための手段】
【０００７】
［１］上記目的を達成するため、静電容量検出によりタッチ操作状態を検出する第１の検出部と、前記第１の検出部の近辺に配置され、静電容量検出によりタッチ操作状態を検出する第２の検出部と、前記第１及び第２の検出部における静電容量検出の結果に基づいて操作入力動作の処理を行なう制御部と、を有し、前記第１又は第２の検出部は、前記第２又は第１の検出部に対向する端部領域に静電容量検出による通常の処理と異なる処理を行なう特別領域が設けられていることを特徴とする操作入力装置を提供する。
【０００８】
［２］前記特別領域は、前記第１又は第２の検出部でなぞり操作を検出する場合に、前記第１又は第２の検出部に設けられることを特徴とする上記［１］に記載の操作入力装置であってもよい。
【０００９】
［３］また、前記制御部は、なぞり操作が前記第１又は第２の検出部におけるタッチ始点からタッチ終点までのなぞりによるタッチ操作である場合に、前記第１又は第２の特別領域におけるタッチ始点から前記第２又は第１の検出部へのなぞり操作を無効ななぞり操作として処理することを特徴とする上記［２］に記載の操作入力装置であってもよい。
【００１０】
［４］また、前記制御部は、前記第１の検出部又は前記第２の検出部のタッチ始点へのタッチ操作時に、タッチ操作の検出を行なったことを提示する検出フラグを前記第１の検出部又は前記第２の検出部ごとに設定することを特徴とする上記［１］から［３］のいずれか１に記載の操作入力装置であってもよい。
【００１１】
［５］また、前記制御部は、タッチ操作がタッチ状態から非タッチ状態に移行し所定の時間が経過した場合に、前記検出フラグを解除することを特徴とする上記［４］に記載の操作入力装置であってもよい。
【００１２】
［６］また、前記制御部は、前記第１及び第２の検出部にタッチ操作がされたときに前記第２又は第１への検出フラグが設定されている場合は、前記タッチ操作を無効なタッチ操作として処理することを特徴とする上記［４］又は［５］に記載の操作入力装置であってもよい。
【発明の効果】
【００１３】
本発明の操作入力装置によれば、なぞり操作時に意図しない検出部まで操作した場合でも誤操作による検出、誤った入力操作を抑制できる操作入力装置を提供することができる。
【図面の簡単な説明】
【００１４】
【図１】図１（ａ）は、第１の実施の形態に係る操作入力装置の概略図であり、図１（ｂ）は、検出部の構成を示す平面図であり、図１（ｃ）は、検出部の領域を示す平面図である。
【図２】図２は、操作入力装置の構成を示す構成ブロック図である。
【図３】図３（ａ）〜（ｃ）は、なぞり操作を行なう場合の模式図である。
【図４】図４は、本発明の第１の実施の形態に係る操作入力装置における動作フローを示すフローチャートである。
【図５】図５（ａ）は、第２の実施の形態に係る操作入力装置の概略図であり、図５（ｂ）は、検出部の構成を示す平面図である。
【発明を実施するための形態】
【００１５】
（本発明の第１の実施の形態）
図１（ａ）は、第１の実施の形態に係る操作入力装置の概略図であり、図１（ｂ）は、検出部の構成を示す平面図であり、図１（ｃ）は、検出部の領域を示す平面図である。図２は、操作入力装置の構成を示す構成ブロック図である。
【００１６】
本発明の実施の形態に係る操作入力装置１は、検出部を通常領域と特別領域に区分けして、操作入力装置の動作フローにおいてタッチされた座標が通常領域か特別領域かを動作判断の条件とする。これにより、隣接して検出部が設けられた操作入力装置において、操作者がなぞり操作等を行なう場合に、意図しない操作を行なった場合でも誤操作による検出、誤った入力操作を抑制するものである。
【００１７】
（操作入力装置の構成）
本発明の実施の形態に係る操作入力装置１は、静電容量検出によりタッチ操作状態を検出する第１の検出部２００と、第１の検出部２００の近辺に配置され、静電容量検出によりタッチ操作状態を検出する第２の検出部２１０と、第１及び第２の検出部２００、２１０における静電容量検出の結果に基づいて操作入力動作の処理を行なう制御部と、を有し、第１又は第２の検出部２００、２１０は、第２又は第１の検出部２１０、２００に対向する端部領域に静電容量検出による通常の処理と異なる処理を行なう特別領域２００Ｂ、２１０Ｂが設けられて構成されている。
【００１８】
操作入力装置１は、一例として、車両に搭載された電子機器の設定を行なう等の操作を入力することができるものである。本実施の形態に係る操作入力装置１は、一例として、空調装置から送出される温度調整された空気の設定温度及び風量を設定することができるものとして説明する。
【００１９】
設定温度表示領域１００は、例えば、空調装置の現在の設定温度を表示部１０に表示する領域である。風量表示領域１０１は、空調装置の現在の風量を表示部１０に表示する領域である。吹出口表示領域１０２は、車両のいずれの吹出口から温度調整された空気が吹出しているのかを表示部１０に表示する領域である。
【００２０】
（検出部の構成）
検出部は、例えば、操作者の指と電極との間に形成される静電容量を検出することができるように構成されている。具体的には、第１の検出部２００は、設定温度を操作するための検出部であり、操作により設定温度表示領域１００の表示を変更し、空調装置の設定温度を変更するためのものである。また、第１の検出部２００の近辺に配置された第２の検出部２１０は、風量を操作するための検出部であり、操作により風量表示領域１０１の表示を変更し、空調装置の風量を変更するためのものである。すなわち、第１の検出部２００と第２の検出部２１０は、異なる機能を有する検出部であって、隣接して配置されている。
【００２１】
図１（ａ）に示すように、第１の検出部２００と第２の検出部２１０は隣接して横並びに配置されている。第１の検出部２００は、例えば、図１（ｂ）に示すように、第１の電極２０１〜第６の電極２０６を備えて概略構成されている。この第１の電極２０１〜第６の電極２０６は、例えば、導電性を有する銅等の金属材料を用いて矩形状に形成されている。同様に、第２の検出部２１０は、第１の電極２１１〜第６の電極２１６を備えて概略構成されている。この第１の電極２１１〜第６の電極２１６は、例えば、導電性を有する銅等の金属材料を用いて矩形状に形成されている。
【００２２】
操作者が、第１の検出部２００を左から右に向けてなぞり操作すると、設定温度を上昇させることができる。また、操作者が、第１の検出部２００を右から左に向けてなぞり操作すると、検設定温度を下降させることができる。この設定温度の上昇及び下降の幅は、一例として、なぞり操作の距離に比例する。
【００２３】
（算出部の構成）
図２で示す構成ブロック図において、第１の検出部２００及び第２の検出部２１０からの出力信号は算出部３１０に入力される。各検出部で検出した静電容量に基づいて、算出部３１０は、それぞれの検出部における感度情報（タッチの有無）、座標情報を算出する。第１の検出部２００及び第２の検出部２１０のそれぞれの感度情報、座標情報は制御部３００に入力される。感度情報は、第１の検出部２００及び第２の検出部２１０で検出された静電容量値、あるいは、この静電容量値をＡ/Ｄ変換した積算値等である。また、座標情報は以下に示すようなタッチ位置に対応して第１の検出部２００及び第２の検出部２１０でそれぞれ算出される、タッチ位置を０〜１００の座標として示す０〜１００の値である。
【００２４】
図１（ｂ）に示す第１の電極２０１〜第６の電極２０６を備えて概略構成される第１の検出部２００において、座標の算出は、一例として、予め定められた周期（一例として３０ｍｓ）で、第１の電極２０１〜第６の電極２０６までの静電容量Ｃ１〜静電容量Ｃ６を読み出し、第１の電極２０１〜第６の電極２０６の定数を０〜１００として読み出した静電容量Ｃ１〜静電容量Ｃ６に乗算して和を算出し、算出された和を読み出した静電容量Ｃ１〜静電容量Ｃ６の和で除算して行われる。従って、座標は、例えば、第１の電極２０１から第６の電極２０６に向って０〜１００の範囲の値を取る。
【００２５】
同様に、第２の検出部２１０において、第１の電極２１１から第６の電極２１６に向って０〜１００の範囲の値を取る。
【００２６】
図１（ｃ）は、検出部の領域を示す平面図であり、上記のように算出された値（０〜１００）は、第１の検出部２００の左端から右端の座標値とされる。また、第１の検出部２００において、座標０〜９０を通常領域２００Ａ、９０〜１００を特別領域２００Ｂとして操作領域を区分している。特別領域２００Ｂは、第１の検出部２００において、第２の検出部２１０に対向する端部領域に静電容量検出による通常の処理と異なる処理を行なう領域として通常領域２００Ａとは区別して設けられている。
【００２７】
同様に、図１（ｃ）において、上記のように算出された値（０〜１００）は、第２の検出部２１０の左端から右端の座標値とされる。また、第２の検出部２１０において、座標１０〜１００を通常領域２１０Ａ、０〜１０を特別領域２１０Ｂとして操作領域を区分している。特別領域２１０Ｂは、第２の検出部２１０において、第１の検出部２００に対向する端部領域に静電容量検出による通常の処理と異なる処理を行なう領域として通常領域２１０Ａとは区別して設けられている。
【００２８】
制御部３００は、例えば、プログラムに従って、取得したデータに演算、加工等を行うＣＰＵ（Central Processing Unit）、半導体メモリであるＲＡＭ及びＲＯＭ（Read Only Memory）等から構成されるマイクロコンピュータである。ＲＡＭは、例えば、一時的に演算結果等を格納する記憶領域として用いられる。
【００２９】
制御部３００は、第１の検出部２００又は第２の検出部２１０のタッチ始点へのタッチ操作時に、タッチ操作の検出を行なったことを提示する検出フラグを第１の検出部２００又は第２の検出部２１０ごとに設定する。
【００３０】
制御部３００は、例えば、設定温度を表示部１０に表示させる表示制御信号を生成すると共に、空調装置を制御する制御信号Ｓｃを生成する。空調装置は、この制御信号Ｓｃに基づいた設定温度に応じて温度調整された空気を車室内に供給する。
【００３１】
（記憶部の構成）
記憶部３２０は、例えば、半導体メモリであり、後述する動作フローのプログラム、ｔａ、ｔｂ等の判断で使用する所定値を記憶している。なお、記憶部３２０は、例えば、制御部３００のＲＡＭ又はＲＯＭであっても良い。
【００３２】
（操作入力装置の動作）
図３（ａ）〜（ｃ）は、なぞり操作を行なう場合の模式図である。なぞり操作は、図３（ａ）で示すように第１の検出部２００の領域内で、また、図３（ｂ）で示すように第２の検出部２１０の領域内で行われることにより、正常な入力操作が行われる。なぜなら、第１の検出部２００は、設定温度表示領域１００で表示される設定温度を上昇又は下降させる操作であり、第２の検出部２１０は、風量表示領域１０１で表示される設定風量を上昇又は下降させる操作であり、異なる機能に対する操作だからである。しかし、第１の検出部２００と第２の検出部２１０が隣接して配置されている場合は、図３（ｃ）に示すように、なぞり操作する指４００が第２の検出部２１０まで達する場合があり得る。本発明は、このような操作者が意図しないなぞり操作を行なった場合に、次に示すような動作フローに基づいて、誤操作による検出、誤った入力操作を抑制する制御を行なうものである。
【００３３】
図４は、本発明の第１の実施の形態に係る操作入力装置における動作フローを示すフローチャートである。以下、このフローチャートのステップに従って動作を説明する。
【００３４】
操作入力装置１の動作フローがスタートすると、まず、制御部３００によりタッチ検出したかどうかが判断される（Ｓｔｅｐ１）。算出部３１０から入力される感度情報（静電容量値、あるいは、この静電容量値をＡＤ変換した積算値等）と設定された閾値との比較により、タッチされたかどうかを検出する。また、タッチの始点の座標を記憶部３２０に記憶する。タッチ検出された場合はＳｔｅｐ２へ進み、タッチ検出されない場合はＳｔｅｐ１を繰り返す。
【００３５】
制御部３００は、他の検出部の検出フラグが立ってないかどうか判断する（Ｓｔｅｐ２）。すなわち、第１の検出部２００がタッチされた場合には第２の検出部２１０の検出フラグが立ってないかどうか判断する。また、第２の検出部２１０がタッチされた場合には第１の検出部２００の検出フラグが立ってないかどうかを判断する。他の検出部の検出フラグが立ってない場合はＳｔｅｐ３へ進み、他の検出部の検出フラグが立っている場合はＳｔｅｐ１１へ進む。
【００３６】
制御部３００は、通常領域でタッチ検出されたかどうかを判断する（Ｓｔｅｐ３）。通常領域でタッチ検出された場合はＳｔｅｐ４へ進み、通常領域でタッチ検出されたものでない場合、すなわち特別領域でタッチ検出された場合はＳｔｅｐ８へ進む。
【００３７】
他の検出部の検出フラグが立ってない状態で通常領域でタッチ検出された場合であるので、検出フラグ設定を行ない、検出フラグを立てる（Ｓｔｅｐ４）。
【００３８】
制御部３００は、タッチ非検出かどうかを判断する（Ｓｔｅｐ５）。タッチ非検出になった場合はＳｔｅｐ６へ進み、タッチ非検出でない場合はＳｔｅｐ２へ戻り、なぞり操作が継続されているとして動作フローが続行される。
【００３９】
制御部３００は、内部タイマーにより所定時間ｔｂが経過したかどうかを判断する（Ｓｔｅｐ６）。所定時間ｔｂが経過した場合はＳｔｅｐ７へ進み、所定時間ｔｂが経過しない場合はＳｔｅｐ１へ戻り動作フローが続行される。
【００４０】
制御部３００は、所定時間ｔｂが経過するとタッチの終点の座標を記憶部３２０に記憶する。所定時間ｔｂはウエイト時間であって、タッチ非検出の状態で一定時間経過すると検出フラグをクリア（解除）して、Ｓｔｅｐ１へ戻り動作フローが続行される。
【００４１】
Ｓｔｅｐ３において通常領域でタッチ検出されたものでないと判断された場合、このタッチ検出は特別領域でされたものであり、まず、なぞりの方向が正常かどうかが判断される（Ｓｔｅｐ８）。なぞりの方向が正常である場合はＳｔｅｐ４へ進み、なぞりの方向が正常でない場合はＳｔｅｐ９へ進む。
【００４２】
なぞりの方向は、Ｓｔｅｐ１又はＳｔｅｐ７で記憶部３２０に記憶されたタッチ点の座標、及び、直近のタッチ点の座標との比較から算出することができる。なぞりの方向は、図１（ａ）〜（ｃ）等において左右どちらの向きでも可能であるが、タッチ始点が第１の検出部２００の特別領域２００Ｂである場合、第２の検出部２１０へ向かう方向はなぞりの方向が正常とされない。同様に、タッチ始点が第２の検出部２１０の特別領域２１０Ｂである場合、第１の検出部２００へ向かう方向はなぞりの方向が正常とされない。
【００４３】
制御部３００は、特別領域でされたタッチ検出であって、なぞりの方向が正常でない場合は、なぞり操作を非検出としてＳｔｅｐ１０へ進む（Ｓｔｅｐ９）。
【００４４】
制御部３００は、タッチ検出が一定時間ｔａ以上かどうかを判断する（Ｓｔｅｐ１０）。タッチ検出が一定時間ｔａ以上の場合は、なぞり操作ではなくて長押し操作であると判断してＳｔｅｐ４へ進み、タッチ検出が一定時間ｔａ以上でない場合は、Ｓｔｅｐ１１へ進む。
【００４５】
制御部３００は、誤操作検出の場合、正常ななぞり操作がされなかったものとして処理することができる。すなわち、この正常でないなぞり操作により入力操作をないものとして処理でき、また、エラー等の表示等を行なうことも可能である（Ｓｔｅｐ１１）。
【００４６】
上記のフローは、停止の割込み信号が入力されるまで繰り返し実行される。
【００４７】
操作入力装置１の上記のような処理フローにより、次のような誤操作による検出、誤った入力操作を抑制できる。
【００４８】
なぞり操作は、図３（ａ）で示すように第１の検出部２００の領域内で、また、図３（ｂ）で示すように第２の検出部２１０の領域内で行われることにより、正常な入力操作として処理される。一方、図３（ｃ）で示したように、第１の検出部２００の特別領域２００Ｂから第２の検出部２１０の領域まで矢印のようになぞり操作を行なった場合は、Ｓｔｅｐ２で他の検出部の検出フラグが立っているので、Ｓｔｅｐ１１へ進んで誤操作検出として処理される。
【００４９】
図３（ａ）に示す第１の検出部２００の特別領域２００Ｂの領域でタッチ検出され、わずかに第２の検出部２１０の方向へ移動する操作がされた場合は、Ｓｔｅｐ９でなぞり操作を非検出とした上で、長押しかどうかを判断する。タッチ時間が一定時間ｔａ以上の場合は、長押しと判断してＳｔｅｐ４に進んで通常フローに戻ることができる。
【００５０】
（第１の実施の形態の効果）
本発明の第１の実施の形態によれば、次のような効果を有する。
（１）操作入力装置１は、検出部を通常領域と特別領域に区分けして、操作入力装置の動作フローにおいてタッチ位置が通常領域か特別領域かを動作判断の条件とする。また、なぞりの方向も動作判断の条件とする。これにより、異なる操作機能を複数の検出部に割り当てた場合でも、なぞり操作領域操作の行き過ぎによる意図せぬ検出を防止することができる。また、隣接する操作領域まで操作してしまう誤操作を回避することができる。
（２）意匠上の制約から複数の検出部であって異なる操作機能を有する検出部を隣接して配置する場合等には、上記したようななぞり操作領域操作の行き過ぎが発生する場合があり得る。このような場合でも、本実施の形態によれば、意図せぬ検出を防止することができ、隣接する操作領域まで操作してしまう誤操作を回避することができる。
（３）タッチ始点が第１の検出部２００の特別領域２００Ｂである場合は、第２の検出部２１０へ向かう方向はなぞりの方向が正常とされない。同様に、タッチ始点が第２の検出部２１０の特別領域２１０Ｂである場合は、第１の検出部２００へ向かう方向はなぞりの方向が正常とされない。これにより、上記のようななぞり操作を無効ななぞり操作として処理することができる。
（４）制御部３００は、第１の検出部２００又は第２の検出部２１０のタッチ始点へのタッチ操作時に、タッチ操作の検出を行なったことを提示する検出フラグを第１の検出部２００又は第２の検出部２１０ごとに設定する。これにより、他の検出部へのなぞり過ぎによる誤操作の判断が容易となる。
【００５１】
（本発明の第２の実施の形態）
第２の実施の形態に係る操作入力装置１は、第１の実施の形態における第２の検出部がなぞり操作機能を備えずに、感度情報（タッチの有無）のみを出力する構成とされている。その他の構成は第１の実施の形態と同様であるので、重複する説明は省略する。
【００５２】
図５（ａ）は、第２の実施の形態に係る操作入力装置の概略図であり、図５（ｂ）は、検出部の構成の左側部分を示す平面図である。
【００５３】
検出部は、例えば、操作者の指と電極との間に形成される静電容量を検出することができるように構成されている。具体的には、第１の検出部２２０は、設定温度を操作するための検出部であり、操作により設定温度表示領域１００の表示を変更し、空調装置の設定温度を変更するためのものである。また、第１の検出部２００の近辺に配置された第２の検出部２３０は、フロントガラスの曇り取りをオンオフするためのＤＥＦスイッチである。
【００５４】
図５（ａ）、（ｂ）に示すように、第１の検出部２２０と第２の検出部２３０は隣接して縦並びに配置されている。
【００５５】
図５（ｂ）は、検出部の領域を示す平面図であり、第１の実施の形態と同様に算出された値（０〜１００）は、第１の検出部２２０の上端から下端の座標値とされる。また、第１の検出部２２０において、座標０〜９０を通常領域２２０Ａ、９０〜１００を特別領域２２０Ｂとして操作領域を区分している。特別領域２２０Ｂは、第１の検出部２２０において、第２の検出部２３０に対向する端部領域に静電容量検出による通常の処理と異なる処理を行なう領域として通常領域２２０Ａとは区別して設けられている。
【００５６】
第２の検出部２３０は、座標情報は出力せず、感度情報（タッチの有無）のみを出力する。
【００５７】
図５（ａ）では、表示部１０の右側にも同様の検出部が設けられている。第３の検出部２４０、第４の検出部２５０は、第１の検出部２２０及び第２の検出部２３０と同様に、隣接して縦並びに配置されている。
【００５８】
第２の実施の形態に係る操作入力装置１は、第１の検出部２２０、また、第３の検出部２４０においてのみなぞり操作を検出する。したがって、第１の検出部２２０、また、第３の検出部２４０においてのみ静電容量検出による通常の処理と異なる処理を行なう特別領域を設けている。
【００５９】
上記説明した構成により、第１の実施の形態と同様に、第１の検出部２２０から第２の検出部２３０に向かってされるなぞり操作のうち、第２の検出部２３０に跨ってされるなぞり操作を非検出とすることができる。また、タッチ始点が第１の検出部２２０の特別領域２２０Ｂである場合は、第２の検出部２３０へ向かう方向はなぞりの方向が正常とされずに、なぞり操作を無効ななぞり操作として処理することができる。
【００６０】
一方、タッチ始点が第２の検出部２３０である場合は、なぞり操作ではないので、第２の検出部２３０におけるタッチの有無、あるいは、長押し等の感度情報を検出すればよい。
【００６１】
（第２の実施の形態の効果）
本発明の第２の実施の形態によれば、なぞり操作がされる検出部にのみ通常の処理と異なる処理を行なう特別領域を設けることで、操作の行き過ぎによる意図せぬ検出を防止することができる。また、隣接する操作領域まで操作してしまう誤操作を回避することができる。
【００６２】
以上、本発明に好適な実施の形態を説明したが、本発明はこの実施の形態に限定されるものではなく、その要旨を変更しない範囲内で種々の変形、応用が可能である。
【符号の説明】
【００６３】
１…操作入力装置
１０…表示部
１００…設定温度表示領域、１０１…風量表示領域、１０２…吹出口表示領域
２００…第１の検出部、２００Ａ…通常領域、２００Ｂ…特別領域、２０１〜２０６、２１１〜２１６…第１〜第６の電極、２１０…第２の検出部、２１０Ａ…通常領域、２１０Ｂ…特別領域、２２０…第１の検出部、２２０Ａ…通常領域、２２０Ｂ…特別領域、２３０…第２の検出部、２４０…第３の検出部、２５０…第４の検出部
３００…制御部、３１０…算出部、３２０…記憶部
４００…指
【図１】
2015133044.tif 000003
【図２】
2015133044.tif 000004
【図３】
2015133044.tif 000005
【図４】
2015133044.tif 000006
【図５】
2015133044.tif 000007